(57)【特許請求の範囲】
【請求項１】
DVDディスクが装着された場合にはDVD用のLDを点灯させ、CDディスクが装着された場合にはCD用のLDを点灯させてディスクより記録情報を読み取る2レーザピックアップを備えたディスクプレーヤのディスク判別方法において、
DVD用のLD、CD用のLDのいずれを点灯してフォーカスサーチしても、フォーカスエラー信号の振幅が第1の設定値以下であれば、DVD用LD点灯時とCD用LD点灯時のフォーカスエラー信号の振幅を比較し、
CD用LD点灯時のフォーカスエラー信号の方が大きければ、装着ディスクはCDディスクであると判定し、DVD用LD点灯時のフォーカスエラー信号の方が大きければ、装着ディスクはDVDディスクであると判定し、
装着ディスクがCDディスクであると判定した場合、フォーカスエラー信号のレベル範囲に基いてCDディスクがCD−ROMまたはCD-DAであるか、あるいはCD-RWであるかの識別を行い、
装着ディスクがDVDディスクであると判定した場合、フォーカスエラー信号のレベル範囲及びフォーカスエラー信号のSカーブ数とに基いてDVDディスクが、信号記録層が１層のDVD-Sであるか、信号記録層が２層のDVD-Dであるかの識別を行い、
DVD用、CD用の何れかのLDを点灯してフォーカスサーチしたときのフォーカスエラー信号の振幅が前記第1の設定値以上である場合、CD用LD点灯時のフォーカスエラー信号の振幅が第2の設定レベル(第2の設定レベル＞第1の設定レベル)以上であれば、ディスクはCD-ROMまたはCD-DAであると判定し、
第2の設定レベル以下であればDVD用LD点灯時のフォーカスエラー信号の振幅値とフォーカスエラー信号のSカーブ数とに基いてディスクが、CD-RWであるか、信号記録層が１層のDVD-Sであるか、信号記録層が２層のDVD-Dであるかを判別する、
ことを特徴とするディスク判別方法。
【発明の詳細な説明】
【０００１】
【発明の属する技術分野】
本発明は、ディスクプレーヤにおけるディスク判別方法に係わり、特に、DVDディスクが装着された場合にはDVD用のLDを点灯させ、CDディスクが装着された場合にはＣＤ用のLDを点灯させてディスクより記録情報を読み取る2レーザピックアップを備えたディスクプレーヤのディスク判別方法に関する。
【０００２】
【従来の技術】
DVD、CD兼用のディスクプレーヤは、DVD用のLDとＣＤ用のLDが組み込まれた2レーザピックアップを備えており、DVDディスクが装着された場合にはDVD用のLD(DVD-LD)を点灯させ、CDディスクが装着された場合にはＣＤ用のLD(CD-LD)を点灯させてディスクより記録情報を読み取るようにしている。
また、CDとDVDとではピックアップから出力する信号レベルが異なり、しかもCDであってもCD-ROM／CD-DAとCD-RW(追記可能CD)とではピックアップ信号レベルが異なる。更に、DVDであっても信号記録層が1層のDVDシングル（DVD-S）と信号記録層が2層のDVDデュアル(DVD-D) とではピックアップ信号レベルが異なる。このため、ディスクに応じて、RFアンプゲインやフォーカスアンプゲイン、トラッキングゲイン等を切り替えている。
【０００３】
以上より、プレーヤに装着されたディスクの種別を識別する必要があり、ディスク種別に応じて点灯するLDを決定したり、RFアンプゲイン、各種サーボゲインを制御する。
ディスク種別の識別は、従来、ディスク挿入後にディスクを回転しながらフォーカスサーチ信号を加えて対物レンズを上下に移動させて合焦点位置通過時に発生するフォーカスエラー信号(FE)のレベルを検出し、該フォーカスエラー信号の検出レベルと閾値を比較し、その大小に基いて行っている。
【０００４】
図4は従来のディスク種別の識別処理フローである。ディスクが装着されると、まずCD-LD (CDレーザダイオード)を点灯し(ステップ101)、ディスクを回転しながらフォーカスサーチ信号を加えて対物レンズを上下に移動させて合焦点位置通過時に発生するフォーカスエラー信号FEのレベル(ピーク・ツー・ピークレベル)を検出し(ステップ102)、該レベルが閾値以上であるかチェックする。(ステップ103)。CD-ROM，CD-DAのレベルは大きいから、フォーカスエラー信号FEのレベルが閾値以上であればディスクはCD-ROMあるいはCD-DAであると判定し(ステップ104)、処理を終了する。
【０００５】
DVD-S，DVD-D,CD-RWのレベルはCD-ROM，CD-DAのレベルより小さいから、ステップ103においてフォーカスエラー信号FEのレベルが閾値より小さければDVD-S，DVD-D,CD-RWのいずれであると判定し、ディスク種別を判別するためにCD-LDに代えてDVD-LDを点灯し(ステップ105)、フォーカスサーチ信号を加えて対物レンズを上下に移動させて合焦点位置通過時に発生するフォーカスエラー信号FEのレベルを検出する(ステップ106)。しかる後、図5のマトリクスを用いてディスク種別を識別する(ステップ107)。
【０００６】
マトリクスの横方向にはスライスカウント数、すなわち、フォーカスサーチ時に発生するフォーカスエラー信号のSカーブ数であり、縦方向はフォーカスエラー信号のレベル範囲である。図6(a)に示すように、信号記録層が1層のCDやDVD-Sにおいて、Sカーブ数は1つであるが、信号記録層が２層のDVD-DにおいてSカーブ数は２である。図5のマトリクスにおいて、スライスカウント数(Sカーブ数)=0は何らかの原因でカーブを検出できなかった場合であり、Sカーブ数=3はノイズが乗って誤カウントした場合である。
【０００７】
また、DVD-LD点灯時におけるフォーカスエラー信号のレベルは図6(a)，(b)に示すようにDVD-Sが最も大きく、DVD-DやCD-RWのレベルは小さい。
以上より、図5のマトリクスにおいて、Sカーブ数＝０，１でレベルが大きければ、DVD-Sとし、Sカーブ数＝２，３であればレベルに関係なくDVD-Dであるとし、Sカーブ数＝０，１でレベルが小さければCD-RWであるとする。
ステップ107ではフォーカスエラー信号のSカーブ数とピーク・ツー・ピークレベル範囲に基いてDVD-S，DVD-D,CD-RWのいずれであるか判断する。
【０００８】
【発明が解決しようとする課題】
しかし、従来のディスク判別方法では、対物レンズに異物が付着したり、結露が発生すると、反射光が減少してフォーカス信号レベルが低下し、ディスク判別において誤判断が発生する問題があった。
以上から本発明の目的は、異物の付着、結露の発生などにより反射光レベルが減少してもディスクの誤判断を低減することである。
【０００９】
【課題を解決するための手段】
本発明は、DVDディスクが装着されたときにDVD用のLDを点灯させ、CDディスクが装着されたときにＣＤ用のLDを点灯させてディスクより記録情報を読み取る2レーザピックアップを備えたディスクプレーヤのディスク判別方法であり、▲１▼DVD用のLD、ＣＤ用のLDのいずれを点灯してフォーカスサーチしても、フォーカスエラー信号の振幅が第1の設定値THL1以下であれば、DVD用ＬＤ点灯時とCD用LD点灯時のフォーカスエラー信号の振幅を比較し、▲２▼CD用LD点灯時のフォーカスエラー信号の方が大きければ、装着ディスクはCDディスクであると判定し、DVD用LD点灯時のフォーカスエラー信号の方が大きければ、装着ディスクはDVDディスクであると判定し、▲３▼装着ディスクがCDディスクであると判定した場合、フォーカスエラー信号のレベル範囲に基いてCDの詳細な識別(CD-ROM,CD-DAとCD-RWの別)を行い、▲４▼装着ディスクがDVDディスクであると判定した場合、フォーカスエラー信号のレベル範囲及びSカーブ数とに基いてDVDディスクの詳細な識別（DVD-SとDVD-Dの別）を行う。
また、本発明では、▲５▼DVD用、CD用のいずれかのLDを点灯してフォーカスサーチしたときのフォーカスエラー信号の振幅が第1の設定値THL1以上の場合、CD用LD点灯時のフォーカスエラー信号の振幅が第2の設定レベルTHL2（THL2>THL1）以上であれば、ディスクはCD-ROMまたはCD-DAであると判定し、▲６▼第2の設定レベル以下であればDVD用LD点灯時のフォーカスエラー信号の振幅とSカーブ数とに基いてディスク（DVD-S，DVD-D,CD-RWの別）を判別する。
以上のようにすれば、異物の付着、結露の発生などにより反射光レベルが減少してもディスクの誤判断を低減することができる。また、正常な反射光レベルが出ている場合には、従来と同様に正しくディスクを識別することができる。
【００１０】
【発明の実施の形態】
図1は本発明のCD,DVD兼用ディスクプレーヤの構成図である。１0はディスクで、CDディスク(CD-DA，CD-ROM，CD-RW)あるいはDVDディスク（DVD-S，DVD-D）である。１１は2レーザピックアップであり、対物レンズの位置を移動させるフォーカスアクチュエ−タ１２ａや光学系12bを備えている。光学系12bは、CD用のレーザダイオードCD-LD、DVD用のレーザダイオードDVD-LD、対物レンズLNS、光検出用のフォトダイオ−ド（図示せず）等を有している。
【００１１】
１３はＲＦアンプ、１４は光学ピックアップから出力される信号よりフォーカスエラー信号ＦＥ、トラッキングエラー信号(図示せず)を出力するエラー信号生成部、１５はサーボ係数ｇに基づいてフォーカスサーボゲインを制御するゲイン制御部（アッテネータ、あるいはゲイン可変アンプ）、１６は位相補償回路、１７はフォーカスサ−チ信号ＦＳを発生するフォーカスサ−チ信号発生回路、１８はフォーカスサ−チ信号ＦＳとフォーカスエラー信号ＦＥを選択して出力する信号切換回路、１９はフォーカスエラー信号ＦＥまたはフォーカスサ−チ信号ＦＳに基づいてフォーカスアクチュエ−タ１２ａを駆動して対物レンズLNSとディスクの信号記録面間の距離を制御するアクチュエ−タドライバ、２０はスレッドモータ、２１はスピンドルモータである。
【００１２】
２２はフォーカスサ−チ制御時、フォーカスサ−チ信号ＦＳにより対物レンズLNSが信号記録レイヤの合焦点位置近傍を通過しているときのフォーカスエラー信号ＦＥのレベル（ピ−ク・ツー・ピーク値）を検出するエラー信号レベル検出回路、２３は検出されたフォーカスエラー信号レベルをデジタル値に変換するＡＤ変換器（ＡＤＣ）、２４はフォーカスサーボ制御やサーボゲイン係数の決定制御、ディスク識別制御等を実行するシステムコントローラである。
２５はフォーカスサ−チ制御時にエラー信号生成部１４から出力されるフォーカスエラー信号ＦＥのレベルＬｆと設定レベルＬｓを比較し、Ｌｆ＞Ｌｓのときハイレベルの信号を出力する比較回路、２６は比較回路２５より出力されるハイレベルの信号数(Sカーブ数)を計数するカウンタである。
２７は信号処理部であり、ＲＦアンプ１３から入力された信号に基づいて誤り訂正処理、サブコード抽出処理、ビデオデータとオーディオデータの分離処理等を行い、ビデオデータとオーディオデータを出力する。
【００１３】
図2は本発明のディスク判別処理フローである。
ディスク１０がプレーヤに装填されると、システムコントローラ２４は、CD-LDを点灯すると共に(ステップ201)、フォーカスサーチ信号発生回路１７を制御して、図6に示すように1/2Ｈｚの三角波であるフォーカスサ−チ信号ＦＳを発生し、このフォーカスサ−チ信号ＦＳにより対物レンズLNSをディスク面に対して接近、後退させる。エラー信号レベル検出回路２２は、対物レンズLNSが信号記録レイヤの合焦点位置近傍を通過している時のフォーカスエラー信号ＦＥのピ−ク・ツー・ピークレベルＰCDを検出してAD変換器23を介してシステムコントローラ24に入力する。また、比較回路２５はフォーカスエラー信号レベルＬｆと設定レベルＬｓを比較し、Ｌｆ＞Ｌｓとなるとハイレベルの信号を出力し、カウンタ２６はハイレベルの信号数(Sカーブ数)をカウントしてシステムコントローラ24に入力する。…以上ステップ202
【００１４】
ついで、CD-LDを消灯し、代わってDVD-LDを点灯すると共に(ステップ203)、フォーカスサーチ信号発生回路１７を制御して、フォーカスサ−チ信号ＦＳを発生し、このフォーカスサ−チ信号ＦＳにより対物レンズLNSをディスク面に対して接近、後退させ、ステップ202と同様にフォーカスエラー信号ＦＥのピ−ク・ツー・ピークレベルＰDVDと、Sカーブ数を検出する。…以上ステップ204
しかる後、ステップ２０２，２０４で検出したフォーカスエラー信号レベルＰCD，PDVDと第1の閾値THL1との大小を比較する(ステップ205)。
【００１５】
ＰCD，PDVDの少なくとも一方が第1の閾値THL1より大きければ、異物の付着や結露等による反射光レベルの減少がないと見なして、従来と同様にディスク判別処理を行う。すなわち、CD用LD点灯時のフォーカスエラー信号のレベルＰCDが第2の設定レベルTHL2（THL2>THL1）以上であるかチェックし(ステップ206)、ＰCD≧THL2であれば、ディスクはCD-ROMまたはCD-DAであると判定し(ステップ207)、ＰCD＜THL2であれば、DVD用LD点灯時のフォーカスエラー信号のレベルPDVDとSカーブ数とに基いて、図5のマトリクスを用いてディスク（DVD-S，DVD-D,CD-RWの別）を判別する(ステップ208)。
【００１６】
一方、ステップ105において、ＰCD，PDVDの両方が第1の閾値THL1より小さければ、何らかの原因で、例えば異物の付着や結露等により反射光レベルが減少した状態になっていると判断する。そして、CD用LD点灯時のフォーカスエラー信号のピ−ク・ツー・ピークレベルＰCDとDVD用LD点灯時のフォーカスエラー信号のピ−ク・ツー・ピークレベルPDVDを比較し(ステップ210)、ＰCD＞PDVDであれば、ディスクはCD系であると判定し、図3（A）の第1の新マトリクスを用いてディスクの種別（CD-DA ，CD-ROM とCD-RWの別）を判定する(ステップ211)。
【００１７】
第1の新マトリクスの横方向はフォーカスエラー信号のSカーブ数であり、縦方向はフォーカスエラー信号のレベル範囲であり、Sカーブ数=0は何らかの原因でカーブを検出できなかった場合であり、Sカーブ数=２，3はノイズが乗って誤カウントした場合である。また、フォーカスレベルはCD-DA ，CD-ROMの方がCD-RWより大きい。以上より、第1の新マトリクスは、▲１▼ＰCDが第1のレベル範囲(レベル大)であれば、Sカーブ数に関係なくディスクはCD-DAあるいはCD-ROMであると判定し、▲２▼ＰCDが第２のレベル範囲(レベル小)であれば、Sカーブ数に関係なくディスクはCD-RWであると判定するように作成されている。
【００１８】
一方、ステップ210において、ＰCD＜PDVDであれば、ディスクはDVD系であると判定し、図3（Ｂ）の第２の新マトリクスを用いてディスクの種別（DVD-SとDVD-Dの別）を判定する(ステップ212)。
第2の新マトリクスの横方向はフォーカスエラー信号のSカーブ数であり、縦方向はフォーカスエラー信号のレベル範囲であり、Sカーブ数=0は何らかの原因でカーブを検出できなかった場合であり、Sカーブ数=3はノイズが乗って誤カウントした場合である。フォーカス信号のレベルはDVD-S の方がDVD-D より大きい。また、DVD-S のSカーブ数は１、DVD-DのSカーブ数は２である。以上より、第２の新マトリクスは、▲１▼Sカーブ数＝０，１で、PDVDが第1のレベル範囲(レベル大)であれば、ディスクはDVD-Sであると判定し、▲２▼Ｓカーブ数＝２，３で、PDVDが第２のレベル範囲(レベル大)であれば、ディスクはDVD-Dであると判定し、▲３▼PDVDが第２のレベル範囲(レベル小)であれば、Sカーブ数に関係なくディスクはDVD-Dであると判定するように作成されている。
【００１９】
以上のように、何らかの原因で反射光レベルが減少してフォーカス信号レベルＰCD，PDVDが小さくなっても(第１の閾値THL1以下になっても)、ＰCD，PDVDの大小に基いてディスクがCD系であるかDVD系であるかを判定し、更に、ＰCD，PDVDのレベル、Ｓカーブ数に基いてディスク種別を判定するようにしたから、ディスク判別精度を向上することができる。
【００２０】
【発明の効果】
以上本発明によれば、異物の付着、結露の発生などにより反射光レベルが減少してもディスクの判別精度を向上することができる。
【図面の簡単な説明】
【図１】本発明のCD,DVD兼用ディスクプレーヤの構成図である。
【図２】本発明のディスク判別処理フローである。
【図３】ディスク種別判別用のマトリクスである。
【図４】従来のディスク種別の識別処理フローである。
【図５】従来のディスク種別判別用のマトリクスである。
【図６】フォーカスサーチ時におけるフォーカス信号波形説明図である。
【符号の説明】
１０  CDディスクあるいはDVDディスク
１１  2レーザピックアップ
１４  エラー信号生成部
１７  フォーカスサ−チ信号発生回路
２２  エラー信号レベル検出回路
２４  システムコントローラ
２５  比較回路
２６  Sカーブ数を計数するカウンタ
CD-LD  CD用のレーザダイオード
DVD-LD  DVD用のレーザダイオード
【図１】
0004111740.tif 000002
【図２】
0004111740.tif 000003
【図３】
0004111740.tif 000004
【図４】
0004111740.tif 000005
【図５】
0004111740.tif 000006
【図６】
0004111740.tif 000007